(57)【要約】  本発明の実施例によるＢＩＭ環境における問題点の解決及び協業を支援可能な支援システムは、三次元設計モデルを作成できるように設計プログラムを支援するプログラム支援サーバ；前記設計プログラムの支援を受け設計者の制御に従って問題点を提示して登録する問題点登録支援部；前記問題点登録支援部で登録された問題点を共有できるように支援する問題点管理サーバ；前記問題点登録支援部に登録された問題点内容をモニタリングできるように表示し、管理者の制御に従って前記問題点内容に応じた対応方針を転送する少なくとも１つ以上の管理支援部；及びエンジニアの制御に従って前記問題点内容と前記対応内容に応じた問題点解決提示機能を行うエンジニア支援部；を含む。【選択図】図１
2018517952.tif 000002
【特許請求の範囲】
【請求項１】
三次元設計モデルを作成できるように設計プログラムを支援するプログラム支援サーバ；
前記設計プログラムの支援を受け、設計者の制御に従って問題点を提示して登録する問題点登録支援部；
前記問題点登録支援部において登録された問題点を共有できるように支援する問題点管理サーバ；
前記問題点登録支援部に登録された問題点内容をモニタリングできるように表示し、管理者の制御に従って前記問題点内容に応じた対応方針を転送する少なくとも１つ以上の管理支援部；及び
エンジニアの制御に従って前記問題点内容と前記対応内容に応じた問題点解決提示機能を行うエンジニア支援部；を含み、
前記管理支援部は、
前記問題点登録支援部に登録された問題点内容が問題点であるか否かについて問題点が適切か否か、問題点の特性の分類を行い、問題点が適切でない場合、不適合意見を設定する、
ＢＩＭ環境における問題点の解決及び協業を支援可能な支援システム。
【請求項２】
前記管理支援部の問題点が適格か否かの判断は、
前記設計プログラム通知ウィンドウを通じて設計者が登録した問題点内容を確認し、
その問題点であるか否かを判断して、問題点であると判断されると、さらに別の管理支援部又は前記エンジニア支援部に問題点確認内容を共有する、
請求項１に記載の、ＢＩＭ環境における問題点の解決及び協業を支援可能な支援システム。
【請求項３】
前記管理支援部の問題点の特性の分類の遂行は、
登録された問題点が内部的に解決可能な内部的問題点であるか、外部の助けを受けて解決すべき外部的問題点であるかを区分及び判断して、判断の内容に従って、内部的に対応内容が作成されるように支援するか、又は外部に転送されるように支援する、
請求項２に記載の、ＢＩＭ環境における問題点の解決及び協業を支援可能な支援システム。
【請求項４】
前記管理支援部は、
登録した問題点内容が問題点であると判断されない場合、それに対する意見を追加して前記問題点登録支援部に伝達する、
請求項３に記載の、ＢＩＭ環境における問題点の解決及び協業を支援可能な支援システム。
【請求項５】
前記エンジニア支援部は、
エンジニアの制御に従って問題点内容と対応内容に応じた問題点解決内容を算出し、算出された解決方案や解決内容を共有する、
請求項４に記載の、ＢＩＭ環境における問題点の解決及び協業を支援可能な支援システム。
【請求項６】
前記プログラム支援サーバは、
前記エンジニア支援部から算出された解決方案や解決内容を、ネットワーク網を形成した問題点登録支援部又は管理支援部に伝達されるようにする、
請求項５に記載の、ＢＩＭ環境における問題点の解決及び協業を支援可能な支援システム。
【請求項７】
前記問題点登録支援部は、
前記プログラム支援サーバから設計プログラムの支援を受けて、前記設計者が設計プログラムを使用できるように表示し、前記設計者の制御に従って設計プログラム上で問題点登録機能を行う、
請求項６に記載の、ＢＩＭ環境における問題点の解決及び協業を支援可能な支援システム。
【請求項８】
前記設計者の制御に従って設計プログラム上で問題点登録機能を行うことは、
前記設計プログラムのメニューウィンドウを用いて問題点登録機能を行い、
問題点発生時、
(1)問題点登録ウィンドウに問題点内容を作成及び記載した後、
(2)現在の問題点に対して取った措置に対する説明及び管理者に措置を要請する内容を登録し、
(3)設計による工事種類を選択する工事種類選択ウィンドウを生成した後、
(4)問題点タイプを設定し、前記問題点タイプは問題点リストから参照問題点を選択できるようにする、
請求項７に記載の、ＢＩＭ環境における問題点の解決及び協業を支援可能な支援システム。
【請求項９】
前記設計プログラムのメニューウィンドウを用いて問題点登録機能を行うことは、
前記問題点内容には問題点番号が付与され、
前記問題点番号は、工種、問題点タイプなどを考慮して組み合わせ型で自動付与され、
問題点に関する三次元モデルのＶｉｅｗイメージリストを提示して設計者が確認できるようにし、
問題点と、関連三次元モデルにバドル（Ｂｕｂｂｌｅ）オブジェクトを関連付けて挿入できるようにする、
請求項８に記載の、ＢＩＭ環境における問題点の解決及び協業を支援可能な支援システム。
【請求項１０】
前記設計者の制御に従って設計プログラム上で問題点登録機能を行うことは、
前記設計プログラムのメニューウィンドウを用いて問題点登録機能を行い、
受信及び発信問題点を区分し、
問題点番号と問題点を登録したある設計者及び問題点が作成された当時のデータで問題点を検索して確認するようにし、
問題点の工事種類、問題点タイプ、問題点状態及び問題点の重要度別に選択して検索し、確認できるように具現される、
請求項７に記載の、ＢＩＭ環境における問題点の解決及び協業を支援可能な支援システム。
【請求項１１】
前記問題点登録支援部は、
設計プログラムのメニューウィンドウを用いた問題点登録内容を修正するようにし、
既作成された問題点リストを開いて問題点内容を選択し、修正できる機能を提供し、
現在の問題点に対して取った措置に対する説明が空欄であるときには管理者に措置要請を転送できるようにし、
問題点リストから参照問題点を選択できる機能が提供され、
当該モデルにメッセージバブル（Ｂｕｂｂｌｅ）ウィンドウを実行して、バブルを追加できる機能が支援される、
請求項９に記載の、ＢＩＭ環境における問題点の解決及び協業を支援可能な支援システム。
【請求項１２】
前記問題点登録支援部は、
設計プログラムのメニューウィンドウを用いた問題点登録内容を修正するようにし、
問題点内容の修正が必要である場合には、設計者が異なる方式で問題点内容を修正できるようにし、
管理者が指定した問題点分散処理マネージャ（Ｉｓｓｕｅ  Ｄｉｓｔｒｉｂｕｔｅｄ  Ｍａｎａｇｅｒ）を選択した後、問題点内容によって重要度を設定及び記載し、
リストの担当者指定時に指定事項によってリストも自動配置され、追加的な設定オプションは、図又はイメージセルを通じて進められるようにする、
請求項９に記載の、ＢＩＭ環境における問題点の解決及び協業を支援可能な支援システム。
【請求項１３】
前記管理支援部は、
設計プログラム通知ウィンドウを通じて設計者が登録した問題点内容と、さらに別の管理支援部の問題点であるか否かの判断内容を確認して、問題点であるか否かを再判断し、再判断の結果、前記設計者が登録した問題点内容が十分に問題点であると判断される場合、前記エンジニア支援部と問題点確認内容を共有する、
請求項１０に記載の、ＢＩＭ環境における問題点の解決及び協業を支援可能な支援システム。
【請求項１４】
前記管理支援部は、
再判断の結果、設計者が登録した問題点内容が問題点であると判断されない場合、それに対する意見を追加して前記問題点登録支援部に伝達する、
請求項１３に記載の、ＢＩＭ環境における問題点の解決及び協業を支援可能な支援システム。
【発明の詳細な説明】
【技術分野】
【０００１】
本発明は、ＢＩＭ（Ｂｕｉｌｄｉｎｇ  Ｉｎｆｏｒｍａｔｉｏｎ  Ｍｏｄｅｌｉｎｇ）環境における設計又はモデル構築時に発見又は発生する問題点と考慮すべき事項などの問題点を設計者が設計プログラム機能で提示し、管理者や施工者などが設計プログラム上で迅速に確認して解決策を提示できるようにすることで、問題点発生時に迅速に対処して問題の解決時間を短縮できるようにしたＢＩＭ環境における問題点の解決及び協業を支援可能な支援システムに関する。
【背景技術】
【０００２】
建築、建築空間、土木、配管などを施工するためには、それに伴う設計図が予め作製されるべきであり、設計図は設計者が企業や顧客及び事業者などから依頼を受けて設計プログラムで作製した後、管理者や依頼人の確認を受けて完成される。
【０００３】
建築、建築空間、土木、配管、配線などの施工のための設計時には周辺環境と地形、資材、費用、依頼者の趣向、及び法的基準などを反映することになるが、このときに周辺地形や資材状況及び法的基準などによって繰り返して設計事項を変更し依頼人や管理者と議論すべきことが多く、設計時間が遅れるなどの困難がある。
【０００４】
これに対し、韓国特開第１０−２０１４−００３１５４０（２０１４．０３．１３公開）では、ＢＩＭ（Ｂｕｉｌｄｉｎｇ  Ｉｎｆｏｒｍａｔｉｏｎ  Ｍｏｄｅｌｉｎｇ）基盤コミュニケーションシステム、ＢＩＭ基盤コミュニケーションサーバ、及びモバイル端末におけるＢＩＭ基盤コミュニケーション方法を用いて大容量のＢＩＭ情報を管理し、コミュニケーションに必要な要約された情報のプロトコルを用いて相互にコミュニケーションすることで設計を容易にする方式が提案された。
【０００５】
しかし、従来技術によるＢＩＭ基盤の設計及び施工プログラムやシステムは、ＢＩＭ技術を通じて建物の実際の形状と情報及び設計プログラムを共有して多数が確認できる技術のみを提示するだけであって、設計者が提示又は議論しようとする問題点及び設計の変更事項などを共有できず、問題点及び設計の変更事項発生時に設計時間が遅れるなどの問題は依然として解消できなかった。
【０００６】
すなわち、従来には設計者が設計事項を変更すべき、又は設計過程で発生する課題や問題点などを管理者や依頼者及び施工者などに直ちに提示して議論できる方法がなく、設計プログラムの内容を別途確認させて別途の通信手段で議論するなど、複雑な過程を経なければならなかったため、問題点及び設計変更事項発生時の問題解決にかかる時間により設計期間が遅れるなどの問題があった。
【発明の概要】
【発明が解決しようとする課題】
【０００７】
本発明は、前述の問題を解決するために案出されたものであって、本発明の目的は、ＢＩＭ環境における設計又はモデル構築時に発見又は発生する問題点と考慮すべき事項などの問題点を設計者が設計プログラム機能で提示し、管理者や施工者などが設計プログラム上で迅速に確認して解決策を提示できるようにすることで、問題発生時に迅速に対処して問題の解決時間を短縮できるようにしたＢＩＭ環境における問題点の解決及び協業を支援可能な支援システムを提供することにある。
【課題を解決するための手段】
【０００８】
前記のような目的を達成するための本発明の実施例によるＢＩＭ環境における問題点の解決及び協業を支援可能な支援システムは、三次元設計モデルを作成できるように設計プログラムを支援するプログラム支援サーバ；前記設計プログラムの支援を受け、設計者の制御に従って問題点を提示して登録する問題点登録支援部；前記問題点登録支援部において登録された問題点を共有できるように支援する問題点管理サーバ；前記問題点登録支援部に登録された問題点内容をモニタリングできるように表示し、管理者の制御に従って前記問題点内容に応じた対応方針を転送する少なくとも１つ以上の管理支援部；及びエンジニアの制御に従って前記問題点内容と前記対応内容による問題点解決提示機能を行うエンジニア支援部；を含み、前記管理支援部は、前記問題点登録支援部に登録された問題点の内容が問題点であるか否かについて問題点が適切か否か、かつ問題点の特性の分類を行い、問題点が適切でない場合、不適合意見を設定するＢＩＭ環境における問題点の解決及び協業を支援可能な支援システムを提供できるようにする。
【発明の効果】
【０００９】
本発明の実施例によるＢＩＭ環境における問題点の解決及び協業を支援可能な支援システムは、ＢＩＭ環境における設計又はモデル構築時に発見又は発生する問題点と考慮すべき事項などの問題点を設計者が設計プログラム機能で提示し、管理者や施工者などが設計プログラム上で迅速に確認して解決策を提示できるという効果がある。
【００１０】
また、前述の本発明の実施例によると、管理者や施工者などが設計プログラム上で設計者が提示した問題点を迅速に確認して解決策を提示でき、問題点発生時に迅速に対処して問題の解決時間を短縮できるという効果がある。
【図面の簡単な説明】
【００１１】
【図１】図１は、本発明の実施例によるＢＩＭ環境における問題点の解決及び協業を支援可能な支援システムを具体的に示した構成図である。
【００１２】
【図２】図２は、図１に示された設計支援部、第１及び第２管理支援部及びエンジニア支援部の細部機能を説明するための図面である。
【００１３】
【図３】図３は、設計プログラムの問題点登録機能を説明するためのプログラム画面である。
【００１４】
【図４】図４は、図３と異なる方式の問題点登録及び確認機能を説明するためのプログラム画面である。
【００１５】
【図５】図５は、図４と異なる方式の問題点登録及び確認機能を説明するためのさらに別のプログラム画面である。
【００１６】
【図６】図６は、図５で問題点別に適用可能な種々のバブル形態を示した図面である。
【００１７】
【図７】図７は、設計プログラムの問題点登録内容の修正機能を説明するためのプログラム画面である。
【００１８】
【図８】図８は、図７と異なる方式の問題点内容の修正機能を説明するためのプログラム画面である。
【００１９】
【図９】図９は、図８と異なる方式の簡便問題点登録及び修正機能を説明するためのさらに別のプログラム画面である。
【発明を実施するための形態】
【００２０】
以下、本発明の実施例を添付した図面を参照して詳説することとする。
【００２１】
図１は、本発明の実施例によるＢＩＭ環境における問題点の解決及び協業を支援可能な支援システムを具体的に示した構成図である。
【００２２】
図１に示された支援システムは、建築、建築空間、土木、配管、配線などの施工のための三次元設計モデルを作成できるように設計プログラム（又はソフトウェア、１００）を支援するプログラム支援サーバ（６００）、設計プログラムの支援を受け、設計者の制御に従って問題点を提示して登録する問題点登録支援部（２００）、三次元設計モデルの構築過程で発生する問題点を提示し共有できるように支援し登録された問題点事項を管理する問題点管理サーバ（７００）、設計者から登録された問題点内容を管理者がモニタリングできるように表示し管理者の制御に従って問題点内容に応じた対応内容の伝達機能を行う少なくとも１つの管理支援部（３００、４００）、及び問題点内容及び問題点内容に応じた対応内容をエンジニアがモニタリングできるように表示しエンジニアの制御に従って問題点内容と対応内容による問題点解決提示機能を行うエンジニア支援部（５００）を含んで構成される。
【００２３】
具体的には、プログラム支援サーバ（６００）は、建築、建築空間、土木、配管、配線などの施工のための三次元設計モデル作成を支援する事業体や企業又は個人の汎用コンピュータや汎用サーバであってもよい。このようなプログラム支援サーバ（６００）は、建築、建築空間、土木、配管、配線などの施工のためのデザインと設計モデル作成が可能な設計プログラム（１００）を支援する。プログラム支援サーバ（６００）は、それぞれの問題点登録支援部（２００）と少なくとも１つの管理支援部（３００、４００）及びエンジニア支援部（５００）とネットワーク網を形成し、それぞれ作成された三次元設計モデルとコンテンツなどを保存及び共有する。これに対し、問題点登録支援部（２００）と少なくとも１つの管理支援部（３００、４００）及びエンジニア支援部（５００）は、プログラム支援サーバ（６００）から設計プログラム（１００）を提供され設計プログラムを実行及び使用することができる。
【００２４】
問題点登録支援部（２００）は、設計者の汎用コンピュータやノートパソコン及びタブレット移動通信機器などであってもよい。設計者の問題点登録支援部（２００）は、プログラム支援サーバ（６００）からの支援によって設計者が三次元設計モデルとコンテンツなどを設計するか又は生成できるように支援する。そして、問題点登録支援部（２００）は設計者の制御に従って問題点を提示して登録できるように支援する。
【００２５】
問題点管理サーバ（７００）は、三次元設計モデルの構築過程で発生及び提示された問題点を登録し、登録された問題点事項を管理する事業体や企業又は汎用サーバであってもよい。このような、問題点管理サーバ（７００）もまたそれぞれの問題点登録支援部（２００）と少なくとも１つの管理支援部（３００、４００）及びエンジニア支援部（５００）とネットワーク網を形成し、問題点登録支援部（２００）等で設計過程で発生する問題点が提示される場合、提示された問題点がネットワーク網を形成したそれぞれの管理支援部（３００、４００）及びエンジニア支援部（５００）に提示されて共有できるように支援する。
【００２６】
少なくとも１つの管理支援部（３００、４００）は設計者の設計モデルと関係があり、当該設計モデルを管理してモニタリングする事務所や関係者、発注者、建築主など当該管理者の汎用コンピュータ、ノートパソコン及びタブレット移動通信機器などであってもよい。
以下では第１及び第２管理支援部（３００、４００）のみが配置構成された例を説明することとする。
【００２７】
第１及び第２管理支援部（３００、４００）は、プログラム支援サーバ（６００）から設計プログラムの支援を受け、設計者により構築される三次元設計モデルと設計者によりリアルタイムで登録される問題点内容を管理者がモニタリングできるように表示する。そして、管理者の制御に従って登録された問題点の内容が問題点であるか否かを先に判断するようにし、問題点と判断されると、問題点内容に応じた対応内容が作成されて転送されるようにする機能を行う。このときにプログラム支援サーバ（６００）は、第１及び第２管理支援部（３００、４００）等で作成された対応内容がネットワーク網を形成したそれぞれの問題点登録支援部（２００）と少なくともいずれか１つの管理支援部（３００、４００）及びエンジニア支援部（５００）に伝達されて共有できるように支援する。
【００２８】
一方、第１及び第２管理支援部（３００、４００）は登録された問題点内容が問題点であるか否かを判断する過程で、登録された問題点がチームで内部的（ｉｎｔｅｒｎａｌ）に解決可能な内部的問題点なのか、外部の専門家の助けを受けて解決しなければならない外部的（ｅｘｔｅｒｎａｌ）問題点なのかを区分及び判断することもある。そして、その判断の内容により、内部的に対応内容が作成されるように支援するか、又は外部に転送されるように支援することもある。このように内部的な問題点と外部的な問題点を別に区分して、自ら対応するか又は外部に転送して対応すると、内部情報と外部幼虫情報を区分できるので、自主的にセキュリティーを強化させることができる。
【００２９】
エンジニア支援部（５００）は、施工関係者や施工責任者、設計関係者などエンジニアの汎用コンピュータ、ノートパソコン及びタブレット移動通信機器などであってもよい。エンジニア支援部（５００）は、プログラム支援サーバ（６００）から設計プログラムの支援を受け、問題点内容及び問題点内容に応じた対応内容をエンジニアがモニタリングできるように表示する。そして、当該エンジニアの制御に従って問題点内容と対応内容に応じた問題点解決内容が作成されて転送されるようにする機能を行う。
【００３０】
同様に、プログラム支援サーバ（６００）は、エンジニア支援部（５００）で作成された問題点解決内容がネットワーク網を形成したそれぞれの問題点登録支援部（２００）と少なくともいずれか１つの管理支援部（３００、４００）に伝達されて共有できるように支援する。
【００３１】
図２は、図１に示された問題点登録支援部、第１及び第２管理支援部及びエンジニア支援部の細部機能を説明するための図である。
【００３２】
図２を参照すると、設計者の問題点登録支援部（２００）は、プログラム支援サーバ（６００）から設計プログラムの支援を受け、設計者が設計プログラムを使用できるように表示し、設計者の制御に従って設計プログラムの設計機能と問題点登録機能などを行う。設計者は問題点登録支援部（２００）に設計プログラムを実行して建築、土木、配管、配線、デザインなどの設計作業を行うことになり、設計過程で問題が発生するか又は問い合わせ又は議論すべき問題点が発生すると、プログラムメニューウィンドウを用いて問題点登録機能を利用する。設計プログラムのメニューウィンドウを用いた問題点登録方法については、今後添付される図を参照して、より具体的に説明することとする。
【００３３】
設計プログラムに設計者の問題点が登録されると、ネットワーク網に含まれた第１管理支援部（３００）の端末においては、設計プログラム通知ウィンドウを通じて設計者が登録した問題点内容を確認し、それが問題点であるか否かについて判断する。万一、設計者が登録した問題点内容が問題点であるか否かを先に判断し、問題点であると判断されると、第１管理支援部（３００）はさらに別の管理支援部である第２管理支援部（４００）で問題点確認内容を共有できる。しかし、設計者が登録した問題点内容が問題点であると判断されない場合、それに対する意見を追加して問題点登録支援部（２００）に伝達できる。
【００３４】
これに対し、第２管理支援部（４００）においては、設計プログラム通知ウィンドウを通じて設計者が登録した問題点内容と第１管理支援部（３００）の問題点であるか否かの判断内容を確認して、問題点であるか否かを再判断する。万一、再判断の結果、設計者が登録した問題点内容が十分に問題点であると判断される場合、第２管理支援部（４００）はより上位機関や上位担当者であるエンジニア支援部（５００）に問題点確認内容を共有できる。しかし、再判断の結果、設計者が登録した問題点内容が問題点であると判断されない場合、それに対する意見を追加して問題点登録支援部（２００）に返すことができる。
【００３５】
次いで、施工関係者や施工責任者、設計関係者などのエンジニア支援部（５００）では当該エンジニアの制御に従って問題点内容と対応内容に応じた問題点解決内容を作成し、作成された解決方案や解決内容が転送及び共有できるようにする。したがって、問題点登録支援部（２００）ではエンジニア支援部（５００）の解決方案や解決内容に従って設計過程で発生した問題点を解決した後、解決された結果を選択的に共有して検討を受けることができる。
【００３６】
このような過程によって、三次元設計モデル構築時に設計プログラムを用いた設計過程で発生する問題点、考慮すべき事項、問題点などを設計者が設計プログラム機能で直ちに提示できるようにして、問題点発生時に設計者が迅速に対応できる。また、管理者や施工者などが設計プログラム上で設計者が提示した問題点を迅速に確認して解決策を提示でき、設計者の設計時間を短縮できるようになる。
【００３７】
図３は、設計プログラムの問題点登録機能を説明するためのプログラム画面である。
【００３８】
図３を参照して、設計プログラムのメニューウィンドウを用いた問題点登録方法を説明すると、問題点発生時に設計者はまず（(1)）問題点登録ウィンドウに問題点内容を作成及び記載した後、（(2)）現在の問題点に対して取った措置に対する説明及び管理者に措置を要請する内容を追加で記載する。次いで、（(3)）工事種類を選択する工事種類選択ウィンドウを生成した後、（(4)）問題点タイプを設定できる。
【００３９】
一方、（(5)）参照図面は手記で作成可能に支援され、（(6)）問題点リストから参照問題点を選択できる機能もまた活用でき、（(7)）必要であれば参照資料やイメージなどを添付できる。（(8)）手記で記載されることもあるが、三次元モデルやイメージによって当該座標が示されてもよい。
【００４０】
次いで、（(9)）問題点番号は工種、問題点タイプなどを考慮して組み合わせ型で自動付与され、これはユーザにより別途設定されることもあり、（(10)）問題点に関する三次元モデルのＶｉｅｗイメージリストを提示して設計者が確認するようにできる。そして、（(11)）当該問題点と関連三次元モデルにバドル（Ｂｕｂｂｌｅ）オブジェクトを関連付けて挿入できる。なお、（(12)）関連三次元モデルやビュー（Ｖｉｅｗ）をイメージにより画面をキャプチャー（ｃａｐｔｕｒｅ）して保存でき、（(13)）キャプチャーされたイメージのリストを選択的に削除できる機能を支援する。
【００４１】
図４は、図３と異なる方式の問題点登録及び確認機能を説明するためのプログラム画面である。
【００４２】
図４をまず参照すると、問題点発生時に設計者が異なる方式で問題点登録及び確認機能を利用及び実行できるが、まず（(1)）受信及び発信問題点を区分し、（(2)、(3)、(4)）問題点番号と問題点を登録したある設計者及び問題点が作成された当時のデータで問題点を検索して確認できる。そして、（(5)、(6)、(7)、(8)）問題点の工事種類、問題点タイプ、問題点状態及び問題点の重要度別に選択して検索し、確認することもできる。以後、（(9)、(10)、(11)）所望する条件と所望する問題点内容のイメージや図及び検索条件を設定して問題点を詳細に確認できる。
【００４３】
図５は、図４と異なる方式の問題点登録及び確認機能を説明するためのさらに別のプログラム画面であり、図６は図５で問題点別に適用できる種々のバブル形態を示した図である。
【００４４】
図５及び図６を参照すると、設計者は三次元設計モデルにバブル形態を通じて問題点を表記できるが、問題点の種類と問題点タイプなどによってバブルの形態やバブルの色を変更させて表現できる。このときに問題点の種類と問題点タイプ別にバブルコードを変更するか又は自動設定されるようにし、インサート（Ｉｎｓｅｒｔ）ボタンで問題点バブルを三次元設計モデルに追加させることができ、このバブルは二次元ｖｉｅｗでも表現できる。
【００４５】
図７は、設計プログラムの問題点登録内容の修正機能を説明するためのプログラム画面である。
【００４６】
図７を参照して、設計プログラムのメニューウィンドウを用いた問題点登録内容の修正方法を説明すると、設計者はまず（(1)）作成された問題点リストを開いて問題点内容を選択し、修正できる。（(2)）現在問題点に対して取った措置に対する説明が空欄であるときには、管理者に措置要請を暗示するメッセージや内容を残すことができる。このとき、（(3)）工事種類の修正は不可能で修正を避けられない場合には、問題点リストの問題点内容を再生成しなければならない。但し、（(4)）設定された問題点タイプは修正が可能である。
【００４７】
一方、（(5)）参照図面は手記で作成可能に支援され、（(6)）問題点リストから参照問題点を選択できる機能もまた活用でき、（(7)）必要であれば参照資料やイメージなどを添付できる。（(8)）手記で記載されることもあるが、図やイメージに応じて当該座標が示されてもよい。
【００４８】
次いで、（(9)）記載された内容は強制保存又は自動保存でき、（(10)）必要によっては読み込んだ三次元設計モデルやイメージのリストを提示して設計者が確認するようにできる。そして、（(11)）当該モデルにメッセージバブル（Ｂｕｂｂｌｅ）ウィンドウを実行してバブルを追加できる。なお、（(12)）問題点に関するイメージを読み込みできるようにしたキャプチャーイメージウィンドウを追加で実行でき、（(13)）関連イメージのリストを選択的に削除できる機能を支援する。
【００４９】
図８は、図７と異なる方式の問題点内容の修正機能を説明するためのプログラム画面である。
【００５０】
図８をまず参照すると、問題点内容の修正が必要である場合には設計者が異なる方式で問題点内容を修正できるが、まず（(1)）管理者が指定した問題点分散処理マネージャ（Ｉｓｓｕｅ  Ｄｉｓｔｒｉｂｕｔｅｄ  Ｍａｎａｇｅｒ）を選択した後、（(2)）問題点内容によって重要度を設定及び記載する。
【００５１】
（(3)）リストの担当者指定時に指定事項によってリストも自動配置され、追加的な設定オプションは図やイメージセルを通じて進められる。同様に、（(4)）リストの参照者指定時に指定事項によってリストも自動配置され、追加的な設定オプションは図やイメージセルを通じて進められる。
【００５２】
（(5)、(6)）問題点リストから選択したリストに追加で所望のリストも選択して、担当者と参照者を設定して送付することもできる。
【００５３】
図９は、図８と異なる方式の簡便問題点登録及び修正機能を説明するためのさらに別のプログラム画面である。
【００５４】
図９を参照すると、設計者は簡単にプログラムのメニューバーを選択して三次元設計モデルにバブル形態で問題点を表記できるが、問題点の種類と問題点タイプなどによってバブルの形態やバブルの色を変更させて示すことができる。このときに問題点の種類と問題点タイプ別にバブルコードを変更するか又は自動設定されるようにし、インサート（Ｉｎｓｅｒｔ）ボタンで問題点バブルを設計モデルに追加できる。
【００５５】
以上で述べたように、本発明の実施例による問題点管理が可能な設計プログラム支援システムは、設計図作製時に設計プログラムを用いた設計過程で発生する問題点、考慮すべき事項、問題点などを設計者が設計プログラム機能で直ちに提示できるようにし、問題点発生時に設計者が迅速に対処するようにできる。また、管理者や施工者などが設計プログラム上で設計者が提示した問題点を迅速に確認して解決策を提示でき、設計者の設計及び問題点解決の時間を短縮できるようにして関連した問題点がその後の貴重な経験と知識として再活用できる。
【００５６】
上記では本発明の実施例を参照して説明したが、当該技術分野において通常の知識を有する者であれば、下記の特許請求の範囲に記載された本発明の思想及び領域から逸脱しない範囲内で本発明の種々の修正及び変更が可能であることを理解できるであろう。
【図１】
2018517952.tif 000003
【図２】
2018517952.tif 000004
【図３】
2018517952.tif 000005
【図４】
2018517952.tif 000006
【図５】
2018517952.tif 000007
【図６】
2018517952.tif 000008
【図７】
2018517952.tif 000009
【図８】
2018517952.tif 000010
【図９】
2018517952.tif 000011
【国際調査報告】
2018517952.tif 000012
2018517952.tif 000013
2018517952.tif 000014
2018517952.tif 000015